【手続補正書】
【提出日】令和3年1月14日(2021.1.14)
【手続補正１】
【補正対象書類名】特許請求の範囲
【補正対象項目名】全文
【補正方法】変更
【補正の内容】
【特許請求の範囲】
【請求項１】
睡眠セッションについて被検体の入眠潜時を決定するように構成されるシステムであって、当該システムは、
前記睡眠セッション中の前記被検体における脳活動に関連する情報を伝える出力信号を生成するように構成される１つ以上のセンサと、
前記１つ以上のセンサと動作可能に結合される１つ以上のハードウェアプロセッサとを含み、
前記１つ以上のハードウェアプロセッサは、機械読取可能な命令によって、
ａ）前記出力信号に基づいて、前記被検体の１つ以上の睡眠段階を決定するように構成され、前記１つ以上の睡眠段階は、前記睡眠セッション中の前記被検体における睡眠の存在を示し、
ｂ）前記１つ以上の睡眠段階に基づいて、前記被検体における入眠瞬間を決定するように構成され、前記入眠瞬間は、前記睡眠セッション中の前記被検体における睡眠の開始を示す極めて短い時間を含み、
ｃ）前記被検体について睡眠意図瞬間を決定するように構成され、前記睡眠意図瞬間は、睡眠を開始する前記被検体の意図を示す極めて短い時間を含み、前記睡眠意図瞬間は、
（ｉ）前記出力信号に基づいて、前記被検体における目の瞬きを検出し、前記検出された目の瞬きが所定の期間の間止んでいることに応答して、前記睡眠意図瞬間を決定すること、及び
（ｉｉ）前記出力信号に基づいて、目標周波数帯域の脳活動パワーが閾値パワーレベルを突破したかどうかを判断し、突破に応答して前記睡眠意図瞬間を決定すること
によって決定され、且つ
ｄ）前記入眠瞬間及び前記睡眠意図瞬間に基づいて前記入眠潜時を決定するように構成される、
システム。
【請求項２】
前記１つ以上のハードウェアプロセッサは、前記被検体について前記睡眠意図瞬間を決定することが、前記被検体における目の瞬きを検出することを含むように構成され、前記被検体における目の瞬きを検出することは、前記出力信号の電圧について、負のピークへの負のゼロ交差と、その後に続く正のゼロ交差及び正のピークを検出することを含み、ピーク間距離は距離閾値範囲内であり、ピーク間振幅は振幅閾値範囲内である、請求項１に記載のシステム。
【請求項３】
睡眠セッションについて被検体の入眠潜時を決定するように構成されるシステムであって、当該システムは、
前記睡眠セッション中の前記被検体における脳活動に関連する情報を伝える出力信号を生成するように構成される１つ以上のセンサと、
前記１つ以上のセンサと動作可能に結合される１つ以上のハードウェアプロセッサとを含み、
前記１つ以上のハードウェアプロセッサは、機械読取可能な命令によって、
ａ）前記出力信号に基づいて、前記被検体の１つ以上の睡眠段階を決定するように構成され、前記１つ以上の睡眠段階は、前記睡眠セッション中の前記被検体における睡眠の存在を示し、
ｂ）前記１つ以上の睡眠段階に基づいて、前記被検体における入眠瞬間を決定するように構成され、前記入眠瞬間は、前記睡眠セッション中の前記被検体における睡眠の開始を示す極めて短い時間を含み、
ｃ）前記被検体について睡眠意図瞬間を決定するように構成され、前記睡眠意図瞬間は、睡眠を開始する前記被検体の意図を示す極めて短い時間を含み、前記睡眠意図瞬間は、
（ｉ）前記出力信号に基づいて、前記被検体における目の瞬きを検出し、前記検出された目の瞬きが所定の期間の間止んでいることに応答して、前記睡眠意図瞬間を決定すること、又は
（ｉｉ）前記出力信号に基づいて、目標周波数帯域の脳活動パワーが閾値パワーレベルを突破したかどうかを判断し、突破に応答して前記睡眠意図瞬間を決定すること、又は
（ｉｉｉ）前記（ｉ）及び前記（ｉｉ）の組み合わせ
によって決定され、
ｄ）前記入眠瞬間及び前記睡眠意図瞬間に基づいて前記入眠潜時を決定するように構成され、
前記１つ以上のハードウェアプロセッサは、前記被検体について前記睡眠意図瞬間を決定することが、前記目標周波数帯域の前記脳活動パワーが前記閾値パワーレベルを突破したかどうかを判断することを含むように構成され、
前記パワーは、アルファパワーであり、
前記目標周波数帯域は、８〜１３Ｈｚ周波数帯域であり、
前記閾値パワーレベルは、平均アルファパワーレベルであり、
前記突破は、第２時間エポックの平均アルファパワーが、直前の第１時間エポックの平均アルファパワーに対して所定の量だけ上昇していることに応答して検出される、
システム。
【請求項４】
前記１つ以上のハードウェアプロセッサは、前記被検体における前記入眠瞬間を決定することが、前記被検体が、所定の睡眠段階において所定の時間量を過ごしたかどうか判断し、前記被検体が前記所定の睡眠段階において前記所定の時間量を過ごしたことに応答して、前記入眠瞬間を、前記所定の睡眠段階の前記所定の時間量の開始時間として決定することを含むように構成される、請求項１に記載のシステム。
【請求項５】
当該システムは、前記被検体に感覚刺激を与えるように構成される１つ以上の感覚刺激装置を更に含み、前記１つ以上の感覚刺激装置は、前記出力信号及び前記入眠潜時に基づいて、前記睡眠セッション中の前記被検体の睡眠を誘発し、かつ／又は高めるように、前記１つ以上のハードウェアプロセッサによって制御される、請求項１に記載のシステム。
【請求項６】
睡眠セッションについて被検体の入眠潜時を決定するように構成されるシステムであって、当該システムは、
前記睡眠セッション中の前記被検体における脳活動に関連する情報を伝える出力信号を生成するように構成される１つ以上のセンサと、
前記１つ以上のセンサと動作可能に結合される１つ以上のハードウェアプロセッサとを含み、
前記１つ以上のハードウェアプロセッサは、機械読取可能な命令によって、
ａ）前記出力信号に基づいて、前記被検体の１つ以上の睡眠段階を決定するように構成され、前記１つ以上の睡眠段階は、前記睡眠セッション中の前記被検体における睡眠の存在を示し、
ｂ）前記１つ以上の睡眠段階に基づいて、前記被検体における入眠瞬間を決定するように構成され、前記入眠瞬間は、前記睡眠セッション中の前記被検体における睡眠の開始を示す極めて短い時間を含み、
ｃ）前記被検体について睡眠意図瞬間を決定するように構成され、前記睡眠意図瞬間は、睡眠を開始する前記被検体の意図を示す極めて短い時間を含み、前記睡眠意図瞬間は、
（ｉ）前記出力信号に基づいて、前記被検体における目の瞬きを検出し、前記検出された目の瞬きが所定の期間の間止んでいることに応答して、前記睡眠意図瞬間を決定すること、又は
（ｉｉ）前記出力信号に基づいて、目標周波数帯域の脳活動パワーが閾値パワーレベルを突破したかどうかを判断し、突破に応答して前記睡眠意図瞬間を決定すること、又は
（ｉｉｉ）前記（ｉ）及び前記（ｉｉ）の組み合わせ
によって決定され、
ｄ）前記入眠瞬間及び前記睡眠意図瞬間に基づいて前記入眠潜時を決定するように構成され、
前記１つ以上のセンサ、前記１つ以上のハードウェアプロセッサ、及び前記１つ以上の感覚刺激装置のうちの１つ以上は、前記被検体によって装着されるように構成される衣類に含まれ、前記１つ以上のハードウェアプロセッサは、前記被検体に関連付けられるコンピューティングデバイス上に前記入眠潜時の表示を生じさせるよう構成される、
システム。
【請求項７】
決定システムを用いて、睡眠セッションについて被検体の入眠潜時を決定するための方法であって、前記決定システムは、１つ以上のセンサと、１つ以上のハードウェアプロセッサとを含み、当該方法は、
前記１つ以上のセンサにより、前記睡眠セッション中の前記被検体における脳活動に関連する情報を伝える出力信号を生成するステップと、
前記１つ以上のハードウェアプロセッサにより、前記出力信号に基づいて、前記被検体の１つ以上の睡眠段階を決定するステップであって、前記１つ以上の睡眠段階は、前記睡眠セッション中の前記被検体における睡眠の存在を示す、ステップと、
前記１つ以上のハードウェアプロセッサにより、前記１つ以上の睡眠段階に基づいて、前記被検体における入眠瞬間を決定するステップであって、前記入眠瞬間は、前記睡眠セッション中の前記被検体における睡眠の開始を示す極めて短い時間を含む、ステップと、
前記１つ以上のハードウェアプロセッサにより、前記被検体について睡眠意図瞬間を決定するステップであって、前記睡眠意図瞬間は、睡眠を開始する前記被検体の意図を示す極めて短い時間を含み、前記睡眠意図瞬間は、
（ｉ）前記出力信号に基づいて、前記被検体における目の瞬きを検出し、前記検出された目の瞬きが所定の期間の間止んでいることに応答して、前記睡眠意図瞬間を決定すること、及び
（ｉｉ）前記出力信号に基づいて、目標周波数帯域の脳活動パワーが閾値パワーレベルを突破したかどうかを判断し、突破に応答して前記睡眠意図瞬間を決定すること
によって決定されるステップと、
前記１つ以上のハードウェアプロセッサにより、前記入眠瞬間及び前記睡眠意図瞬間に基づいて、前記入眠潜時を決定するステップとを含む、
方法。
【請求項８】
前記被検体について前記睡眠意図瞬間を決定するステップは、前記被検体における目の瞬きを検出することを含み、前記被検体における目の瞬きを検出することは、前記出力信号の電圧について、負のピークへの負のゼロ交差と、その後に続く正のゼロ交差及び正のピークを検出することを含み、ピーク間距離は距離閾値範囲内であり、ピーク間振幅は振幅閾値範囲内である、請求項７に記載の方法。
【請求項９】
決定システムを用いて、睡眠セッションについて被検体の入眠潜時を決定するための方法であって、前記決定システムは、１つ以上のセンサと、１つ以上のハードウェアプロセッサとを含み、当該方法は、
前記１つ以上のセンサにより、前記睡眠セッション中の前記被検体における脳活動に関連する情報を伝える出力信号を生成するステップと、
前記１つ以上のハードウェアプロセッサにより、前記出力信号に基づいて、前記被検体の１つ以上の睡眠段階を決定するステップであって、前記１つ以上の睡眠段階は、前記睡眠セッション中の前記被検体における睡眠の存在を示す、ステップと、
前記１つ以上のハードウェアプロセッサにより、前記１つ以上の睡眠段階に基づいて、前記被検体における入眠瞬間を決定するステップであって、前記入眠瞬間は、前記睡眠セッション中の前記被検体における睡眠の開始を示す極めて短い時間を含む、ステップと、
前記１つ以上のハードウェアプロセッサにより、前記被検体について睡眠意図瞬間を決定するステップであって、前記睡眠意図瞬間は、睡眠を開始する前記被検体の意図を示す極めて短い時間を含み、前記睡眠意図瞬間は、
（ｉ）前記出力信号に基づいて、前記被検体における目の瞬きを検出し、前記検出された目の瞬きが所定の期間の間止んでいることに応答して、前記睡眠意図瞬間を決定すること、又は
（ｉｉ）前記出力信号に基づいて、目標周波数帯域の脳活動パワーが閾値パワーレベルを突破したかどうかを判断し、突破に応答して前記睡眠意図瞬間を決定すること、又は
（ｉｉｉ）上記（ｉ）及び上記（ｉｉ）の組み合わせ
によって決定されるステップと、
前記１つ以上のハードウェアプロセッサにより、前記入眠瞬間及び前記睡眠意図瞬間に基づいて、前記入眠潜時を決定するステップとを含み、
前記被検体について前記睡眠意図瞬間を決定するステップは、前記目標周波数帯域の前記脳活動パワーが前記閾値パワーレベルを突破したかどうかを決定することを含み、
前記パワーは、アルファパワーであり、
前記目標周波数帯域は、８〜１３Ｈｚ周波数帯域であり、
前記閾値パワーレベルは、平均アルファパワーレベルであり、
前記突破は、第２時間エポックの平均アルファパワーが、直前の第１時間エポックの平均アルファパワーに対して所定の量だけ上昇していることに応答して検出される、
請求項６に記載の方法。
【請求項１０】
前記被検体における前記入眠瞬間を決定するステップは、前記被検体が、所定の睡眠段階において所定の時間量を過ごしたかどうか判断し、前記被検体が前記所定の睡眠段階において前記所定の時間量を過ごしたことに応答して、前記入眠瞬間を、前記所定の睡眠段階の前記所定の時間量の開始時間として決定することを含む、請求項７に記載の方法。
【請求項１１】
前記システムは、前記被検体に感覚刺激を与えるように構成される１つ以上の感覚刺激装置を更に備え、当該方法は、前記被検体に感覚刺激を与えるために、前記出力信号及び前記入眠潜時に基づいて、前記１つ以上のハードウェアプロセッサにより前記１つ以上の感覚刺激装置を制御するステップを更に含む、請求項７に記載の方法。
【請求項１２】
決定システムを用いて、睡眠セッションについて被検体の入眠潜時を決定するための方法であって、前記決定システムは、１つ以上のセンサと、１つ以上のハードウェアプロセッサとを含み、当該方法は、
前記１つ以上のセンサにより、前記睡眠セッション中の前記被検体における脳活動に関連する情報を伝える出力信号を生成するステップと、
前記１つ以上のハードウェアプロセッサにより、前記出力信号に基づいて、前記被検体の１つ以上の睡眠段階を決定するステップであって、前記１つ以上の睡眠段階は、前記睡眠セッション中の前記被検体における睡眠の存在を示す、ステップと、
前記１つ以上のハードウェアプロセッサにより、前記１つ以上の睡眠段階に基づいて、前記被検体における入眠瞬間を決定するステップであって、前記入眠瞬間は、前記睡眠セッション中の前記被検体における睡眠の開始を示す極めて短い時間を含む、ステップと、
前記１つ以上のハードウェアプロセッサにより、前記被検体について睡眠意図瞬間を決定するステップであって、前記睡眠意図瞬間は、睡眠を開始する前記被検体の意図を示す極めて短い時間を含み、前記睡眠意図瞬間は、
（ｉ）前記出力信号に基づいて、前記被検体における目の瞬きを検出し、前記検出された目の瞬きが所定の期間の間止んでいることに応答して、前記睡眠意図瞬間を決定すること、又は
（ｉｉ）前記出力信号に基づいて、目標周波数帯域の脳活動パワーが閾値パワーレベルを突破したかどうかを判断し、突破に応答して前記睡眠意図瞬間を決定すること、又は
（ｉｉｉ）上記（ｉ）及び上記（ｉｉ）の組み合わせ
によって決定されるステップと、
前記１つ以上のハードウェアプロセッサにより、前記入眠瞬間及び前記睡眠意図瞬間に基づいて、前記入眠潜時を決定するステップと、
前記睡眠セッション中の前記被検体の睡眠を誘発し、かつ／又は高めるように、前記出力信号及び前記入眠潜時に基づいて、前記１つ以上のハードウェアプロセッサにより前記１つ以上の感覚刺激装置を制御するステップとを含み、
前記１つ以上のセンサ、前記１つ以上のハードウェアプロセッサ及び前記１つ以上の感覚刺激装置、のうちの１つ以上は、前記被検体によって装着されるように構成される衣類に含まれ、当該方法は、前記１つ以上のハードウェアプロセッサにより、前記被検体に関連付けられるコンピューティングデバイス上に前記入眠潜時の表示を生じさせるステップを更に含む、
方法。